【手続補正書】
【提出日】令和3年11月26日(2021.11.26)
【手続補正１】
【補正対象書類名】特許請求の範囲
【補正対象項目名】全文
【補正方法】変更
【補正の内容】
【特許請求の範囲】
【請求項１】
造形部品を造る加工機であって、
支持面を含む支持装置と、
前記支持面上の特定の位置が移動方向に沿って移動するように前記支持装置を移動させる駆動装置と、
粉末層を形成するために粉末を前記支持装置に供給する粉末供給装置と、
前記粉末層から前記造形部品の少なくとも一部を形成するために前記粉末層の少なくとも一部にエネルギービームを照射する照射装置とを備え、
前記照射装置は、前記エネルギービームが前記粉末層に照射される照射位置を、前記移動方向と交差する方向に沿って変更し、前記加工機は、前記支持面と異なる位置に設けられた基準マークを備える
加工機。
【請求項２】
前記基準マークは、前記照射装置及び／又はエネルギービームと前記支持装置との間の相対位置の監視に使用可能である、請求項１に記載の加工機。
【請求項３】
前記エネルギービームが前記粉末層に照射される前記照射位置を変更する前記照射装置は照射領域を規定し、前記基準マークは、前記照射領域内に配置される、請求項１又は２に記載の加工機。
【請求項４】
前記特定の位置は、前記エネルギービームが照射されて前記造形部品の少なくとも一部が形成される造形区域を含み、
前記基準マークは、前記照射領域内であって前記造形区域外に配置される、請求項３記載の加工機。
【請求項５】
前記移動方向は、前記支持面と平行な方向を含む、請求項１から４のいずれか一項に記載の加工機。
【請求項６】
前記基準マークは、前記駆動装置によって移動しない、請求項１から５のいずれか一項に記載の加工機。
【請求項７】
造形部品を造る加工機であって、
支持面を含む支持装置と、
前記支持面上の特定の位置が移動方向に沿って移動するように前記支持装置を移動させる駆動装置と、
粉末層を形成するために粉末を前記支持装置に供給する粉末供給装置と、
前記粉末層から前記造形部品の少なくとも一部を形成するために前記粉末層の少なくとも一部にエネルギービームを照射する照射装置とを備え、
前記照射装置は、前記エネルギービームが前記粉末層に照射される照射位置を、前記移動方向と交差する方向に沿って変更し、前記加工機は、前記支持面とは異なる位置に設けられ、前記エネルギービームを検知するように構成されたセンサをさらに備える
加工機。
【請求項８】
前記エネルギービームが前記粉末層に照射される前記照射位置を変更する前記照射装置は照射領域を規定し、前記センサは、前記粉末層上の照射位置の変更によって規定される前記照射領域内の場所にさらに配置される、請求項７に記載の加工機。
【請求項９】
前記特定の位置は、前記エネルギービームが照射されて前記造形部品の少なくとも一部が形成される造形区域を含み、
前記センサは、前記照射領域内であって前記造形区域外に配置される、請求項８記載の加工機。
【請求項１０】
前記移動方向は、前記支持面と平行な方向を含む、請求項８から９のいずれか一項に記載の加工機。
【請求項１１】
前記センサは、前記駆動装置によって移動しない、請求項７から１０のいずれか一項に記載の加工機。
【請求項１２】
前記照射装置は、光軸を中心に前記エネルギービームを走査して前記照射位置を変更し、
前記移動方向は、前記光軸と平行な回転軸まわりの回転方向である、請求項１から１１のいずれか一項に記載の加工機。
【請求項１３】
前記照射装置は、前記粉末層に荷電粒子ビームを照射する、請求項１から１２のいずれか一項に記載の加工機。
【手続補正２】
【補正対象書類名】明細書
【補正対象項目名】発明の名称
【補正方法】変更
【補正の内容】
【発明の名称】加工機
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】変更
【補正の内容】
【００１２】
本実施形態は、造形部品を造る加工機であって、（ｉ）支持面を含む支持装置と、（ｉｉ）支持面上の特定の位置が移動方向に沿って移動するように支持装置を移動させる駆動装置と、（ｉｉｉ）粉末層を形成するために粉末を支持装置に供給する粉末供給装置と、（ｉｖ）粉末層から造形部品の少なくとも一部を形成するために粉末層の少なくとも一部にエネルギービームを照射する照射装置とを備え、照射装置は、エネルギービームが粉末層に照射される照射位置を、移動方向と交差する方向に沿って変更し、加工機は、支持面と異なる位置に設けられた基準マークを備える、加工機を対象とする。ここで、基準マークは、照射装置及び／又はエネルギービームと支持装置との間の相対位置の監視に使用可能であってもよい。また、エネルギービームが粉末層に照射される照射位置を変更する照射装置は照射領域を規定し、基準マークは、照射領域内に配置されてもよい。また、特定の位置は、エネルギービームが照射されて造形部品の少なくとも一部が形成される造形区域を含み、基準マークは、照射領域内であって造形区域外に配置されてもよい。また、移動方向は、支持面と平行な方向を含んでいてもよい。また、基準マークは、駆動装置によって移動しなくてもよい。
【手続補正１３】
【補正対象書類名】明細書
【補正対象項目名】００１３
【補正方法】変更
【補正の内容】
【００１３】
また、さらに別の適用で、本実施形態は、さらに、造形部品を造る加工機であって、（ｉ）支持面を含む支持装置と、（ｉｉ）支持面上の特定の位置が移動方向に沿って移動するように支持装置を移動させる駆動装置と、（ｉｉｉ）粉末層を形成するために粉末を支持装置に供給する粉末供給装置と、（ｉｖ）粉末層から造形部品の少なくとも一部を形成するために粉末層の少なくとも一部にエネルギービームを照射する照射装置とを備え、照射装置は、エネルギービームが粉末層に照射される照射位置を、移動方向と交差する方向に沿って変更し、加工機は、支持面とは異なる位置に設けられ、エネルギービームを検知するように構成されたセンサをさらに備える、加工機を対象とする。ここで、エネルギービームが粉末層に照射される照射位置を変更する照射装置は照射領域を規定し、センサは、粉末層上の照射位置の変更によって規定される照射領域内の場所にさらに配置されてもよい。また、特定の位置は、エネルギービームが照射されて造形部品の少なくとも一部が形成される造形区域を含み、センサは、照射領域内であって造形区域外に配置されてもよい。また、移動方向は、支持面と平行な方向を含んでいてもよい。また、センサは、駆動装置によって移動しなくてもよい。
また、照射装置は、光軸を中心にエネルギービームを走査して照射位置を変更し、移動方向は、光軸と平行な回転軸まわりの回転方向であってもよい。また、照射装置は、粉末層に荷電粒子ビームを照射してもよい。